(57)【要約】【課題】間仕切り用パネルを精度よく製造し得るパネル枠材を提供する。【解決手段】側面部材２，２間に圧縮性芯材３が介在された間仕切り用パネル５の縁部を構成するパネル枠材である。左右の枠材側面部１０，１０に、左右の側面部材２，２の縁側部分１１，１１が当接される。側面部材２の外縁部に、屈曲片１６が、間仕切り用パネル５の厚さ方向に直角状態に屈曲されている。左右の枠材側面部１０，１０には、屈曲片１６を挿入させる挿入溝部１９が、枠材側面部１０に対し直角に設けられている。挿入溝部１９の外側の溝部内側面２０は、枠材側面部１０と直角をなす直角平坦面であり、挿入溝部１９の内側の溝部内側面２１は傾斜平坦面である。【選択図】  図２
2019039149.tif 000002
【特許請求の範囲】
【請求項１】
対向する左右の側面部材間に圧縮性芯材が介在されてなる間仕切り用パネルの縁部を構成するパネル枠材であって、該圧縮性芯材の芯材端面部に内端が当接されると共に、平行する左右の枠材側面部には、左右の前記側面部材の縁側部分が当接される如くなされ、
前記側面部材は、前記圧縮性芯材の芯材側面部に当接される平板部の前記縁側部分の外縁部に、前記間仕切り用パネルの厚さ方向に直角状態に屈曲されてなる屈曲片が形成されており、
又、左右の前記枠材側面部には、前記内端と反対側をなす外端から前記内端側に稍控えた部位に、前記屈曲片を挿入させ得る挿入溝部が、該枠材側面部に対して直角方向に窪むように且つ左右対向状態に設けられており、
該挿入溝部の、前記外端側に存する外側の溝部内側面は、前記枠材側面部と直角をなす直角平坦面として形成される一方、該挿入溝部の、前記内端側に存する内側の溝部内側面は、該挿入溝部の溝幅を該挿入溝部の溝底からその開口端に向けてＶ字状に拡大させる傾斜平坦面として形成されていることを特徴とする間仕切り用パネル枠材。
【請求項２】
請求項１記載の間仕切り用パネル枠材を用いてなる間仕切り用パネルであって、前記平板部の前記屈曲片側の部分が前記枠材側面部に当接され且つ前記屈曲片が前記挿入溝部に挿入されており、所要に圧縮された前記圧縮性芯材が前記平板部間に介在されており、
該圧縮性芯材の左右の芯材側面部が、熱硬化性接着剤を介して前記平板部に接着されると共に、前記平板部の前記屈曲片側の部分が前記枠材側面部に接着されており、且つ前記屈曲片が前記挿入溝部に挿入された状態で、該平板部の外表面が、前記パネル枠材の、前記外側の溝部内側面の外側に存する外側片部の、左右方向で見ての先端よりも若干突出状態にあることを特徴とする間仕切り用パネル。
【請求項３】
請求項１記載の間仕切り用パネル枠材を用いてなる間仕切り用パネル基材であって、前記屈曲片が前記挿入溝部に挿入された状態で、前記平板部の前記屈曲片側の部分が前記枠材側面部に接着されており、且つ、前記圧縮性芯材が、圧縮されていない状態で前記平板部間に介在されており、又、該圧縮性芯材と該平板部との間には、接着力を発揮していない状態の熱硬化性接着剤が介在されており、該平板部の外表面が、前記パネル枠材の、前記外側の溝部内側面の外側に存する外側片部の、左右方向で見ての先端よりも突出状態にあることを特徴とする間仕切り用パネル基材。
【請求項４】
請求項３記載の間仕切り用パネル基材を用いる間仕切り用パネルの製造方法であって、該間仕切り用パネル基材の左右の前記平板部に対し、左右方向で、前記熱硬化性接着剤を溶融させ得る加熱状態でプレス加工を施し、前記圧縮性芯材を圧縮させると共に該平板部を前記熱硬化性接着剤で前記圧縮性芯材に接着させることを特徴とする間仕切り用パネルの製造方法。
【発明の詳細な説明】
【技術分野】
【０００１】
本発明は、間仕切り用パネル枠材に関するものであり、又、該間仕切り用パネル枠材を用いる間仕切り用パネル枠材と間仕切り用パネル基材に関するものであり、更に、該間仕切り用パネル枠材を用いる間仕切り用パネルの製造方法に関するものである。
【背景技術】
【０００２】
ローパーティション等の間仕切りを構成するために用いられる間仕切り用パネルａの一例は、例えば図２０に示すように、縦枠材と横枠材と適宜の補強枠材としての枠材ｂを所要に枠組みしてなるパネル枠体ｃ内にペーパーコア等の芯材ｄを収容すると共にその両側面部ｅ，ｅに表面材ｆ，ｆを貼着してなるものであった。
【０００３】
かかる構成を有する間仕切り用パネルａの製造方法の一例を説明すれば、先ず図２１に示すようなパネル基材ｇを形成する。該パネル基材ｇは、縦枠材と横枠材と適宜の補強枠材としての前記枠材ｂを所要に枠組みしてなる前記パネル枠体ｃ内に、該パネル枠体ｃの厚さよりも若干厚く形成された圧縮性芯材（例えばペーパーコア）ｄを収容すると共にその両側面部ｅ，ｅに、熱硬化性接着剤を介在させて前記表面材ｆ，ｆを当接させ、その周縁部分ｈ，ｈを前記パネル枠体ｃの両側面ｊ，ｊに例えば両面粘着テープｋを介して仮接着させる。
【０００４】
その後図２１（Ａ）に一点鎖線で示すように押圧板部ｍを介し、前記熱硬化性接着剤を溶融させ得る加熱状態で、前記表面材ｆ，ｆを向き合う左右方向に押圧するようにプレス加工を施して前記芯材ｄを圧縮させる。これによって、前記表面材ｆ，ｆを前記芯材ｄに接着させることができる。
【０００５】
生産工場における該製造工程は、前記パネル基材ｇをプレス加工部に向けてコンベアで搬送して後、該プレス加工部において前記プレス加工を施すものであった。そのため、コンベア搬送時における振動の影響によって、前記両面粘着テープｋを介して前記パネル枠体ｃの前記両側面ｊ，ｊに仮接着されているに過ぎなかった前記表面材ｆ，ｆの該側面ｊ，ｊに対する位置関係がずれ易く、その結果、前記枠材ｂの縁部ｎと前記表面材ｆの端部ｐとの間の間隙ｑ（図２１（Ｂ））が小さくなったり或いは大きくなったりする問題があった。
【０００６】
加えて、前記プレス加工時において前記芯材ｄが左右方向で圧縮されることに伴い、前記パネル枠体ｃ内に拘束されている前記芯材ｄが、該パネル枠体ｃ内での外周側において、外方向に向けて膨らむように移動したり、或いは内方向に向けて膨らむように移動する現象が生じた。
【０００７】
その結果、外方向に向けての前記膨らみ移動によって前記枠材ｂが外方向に向けて移動する現象が生じ易く、或いは、内方向に向けての前記脹らみ移動によって前記枠材ｂが内方向に向けて移動する現象が生じ易かった。これらの移動現象の阻止は熟練作業者にとっても難しく、移動量が０．５〜１．０ｍｍ程度となる場合があった。
【０００８】
前記間隙ｑにバラツキが生ずると、間仕切り用パネルａの見栄えが損なわれる問題があった。又、前記間隙ｑが大きくなった場合、該表面材ｆの端部ｐに人の指先や物が引っ掛かって該表面材ｆの端部側が部分的にめくれて浮き上がる恐れがあった。浮き上がった状態になると、間仕切り用パネルａの美観を損なうばかりか、この浮き上がった部分に指先が触れると怪我をする恐れもあった。
【０００９】
ところで特許文献１には、図２２に示すように、両表面材ｆ，ｆの縁部分を対向側に折り曲げて形成した折曲片ｒ，ｒを枠材ｂの外面部ｔに当接させてなる間仕切り用パネルａが記載されている。該間仕切り用パネルａによるときは、前記プレス工程において、例えばペーパーコアからなる芯材ｄが圧縮された場合における該芯材ｄの外方向に向けての脹らみ移動に起因する前記枠材ｂの外方向に向けて移動は、前記折曲片ｒ，ｒの移動規制作用によって阻止できる。しかし、該圧縮された場合における該芯材ｄの内方向に向けての膨らみ移動に起因する前記枠材ｂの内方向に向けての移動は阻止できなかった。このように枠材ｂが内方向に向けて移動すると、前記折曲片ｒと前記枠材ｂの外面部ｔとの間に隙間が生ずることとなり、図２１（Ｂ）に基づいて説明したと同様の美観損傷、指先が触れた場合の怪我をする恐れ等の前記と同様の問題点を解決できなかった。
【００１０】
又特許文献１には、図２３に示すような、ドアパネルの表面材を複数枚に分割して該表面材ｆの縁部分を直角に折り曲げて形成した折曲片ｕを、ドアパネルの表面部に適宜に設けた溝部ｖの底部で突設した突部ｗと該溝部ｖの内側面部ｘとの間に形成した挿入溝部ｙに密接状態に嵌入させる構成が記載されている。このような嵌入は、前記折曲片ｕが精度よく直角に折り曲げ形成されていて始めて可能になることである。一般に、前記表面材ｆの長さが短い場合は前記折曲片ｕの延長長さが短いために、該折曲片を精度よく直角に折り曲げ形成することは比較的容易であるが、ドアパネルの表面を１枚の表面材で覆う場合のように表面材の長さが長い場合は、前記折曲片ｕの延長長さが長くなるために、該折曲片ｕをその全長に亘って精度よく直角に折り曲げるのは困難であり、折り曲げ角度が鋭角になったり鈍角になったりし易い。このような折曲片では、前記挿入溝部ｙに挿入させられない場合が生じてしまう。
【先行技術文献】
【特許文献】
【００１１】
【特許文献１】特開２００５−２８２１７５号公報
【発明の概要】
【発明が解決しようとする課題】
【００１２】
本発明は、前記従来の問題点に鑑みて開発されたものであり、熟練者でなくても間仕切り用パネルを精度よく製造可能とする間仕切り用パネル枠材の提供を課題とするものであり、又、精度のよい間仕切り用パネルの製造を可能とする間仕切り用パネル基材の提供を課題とするものである。更に、精度のよい間仕切り用パネルをコスト低減を図って生産性よく製造するための間仕切り用パネルの製造方法の提供を課題とするものである。
【課題を解決するための手段】
【００１３】
前記課題を解決するため本発明は以下の手段を採用する。
即ち本発明に係る間仕切り用パネル枠材（以下、パネル枠材という）は、対向する左右の側面部材間に圧縮性芯材が介在されてなる間仕切り用パネルの縁部を構成するパネル枠材であって、該圧縮性芯材の芯材端面部に内端が当接されると共に、平行する左右の枠材側面部には、左右の前記側面部材の縁側部分が当接される如くなされている。前記側面部材は、前記圧縮性芯材の芯材側面部に当接される平板部の前記縁側部分の外縁部に、前記間仕切り用パネルの厚さ方向に直角状態に屈曲されてなる屈曲片が形成されており、又、左右の前記枠材側面部には、前記内端と反対側をなす外端から前記内端側に稍控えた部位に、前記屈曲片を挿入させ得る挿入溝部が、該枠材側面部に対して直角方向に窪むように且つ左右対向状態に設けられている。そして、該挿入溝部の、前記外端側に存する外側の溝部内側面は、前記枠材側面部と直角をなす直角平坦面として形成される一方、該挿入溝部の、前記内端側に存する内側の溝部内側面は、該挿入溝部の溝幅を該挿入溝部の溝底からその開口端に向けてＶ字状に拡大させる傾斜平坦面として形成されていることを特徴とするものである。
【００１４】
本発明に係る間仕切り用パネルは、前記パネル枠材を用いてなる間仕切り用パネルであって、前記平板部の前記屈曲片側の部分が前記枠材側面部に当接され且つ前記屈曲片が前記挿入溝部に挿入されており、所要に圧縮された前記圧縮性芯材が前記平板部間に介在されており、該圧縮性芯材の左右の芯材側面部が、熱硬化性接着剤を介して前記平板部に接着されると共に、前記平板部の前記屈曲片側の部分が前記枠材側面部に接着されており、且つ前記屈曲片が前記挿入溝部に挿入された状態で、該平板部の外表面が、前記パネル枠材の、前記外側の溝部内側面の外側に存する外側片部の、左右方向で見ての先端よりも若干突出状態にあることを特徴とするものである。
【００１５】
本発明に係る間仕切り用パネル基材は、前記パネル枠材を用いてなり、前記屈曲片が前記挿入溝部に挿入された状態で、前記平板部の前記屈曲片側の部分が前記枠材側面部に接着されており、且つ、前記圧縮性芯材が、圧縮されていない状態で前記平板部間に介在されており、又、該圧縮性芯材と該平板部との間には、接着力を発揮していない熱硬化性接着剤が介在されており、該平板部の外表面が、前記パネル枠材の、前記外側の溝部内側面の外側に存する外側片部の、左右方向で見ての先端よりも突出状態にあることを特徴とするものである。
【００１６】
本発明に係る間仕切り用パネルの製造方法は、前記間仕切り用パネル基材を用いてなり、該間仕切り用パネル基材の左右の前記平板部に対し、左右方向で、前記熱硬化性接着剤を溶融させ得る加熱状態でプレス加工を施し、前記圧縮性芯材を圧縮させると共に該平板部を前記熱硬化性接着剤で前記圧縮性芯材に接着させることを特徴とするものである。
【発明の効果】
【００１７】
本発明は以下の如き優れた効果を奏する。
本発明によるときは、精度が高く美観のよい間仕切り用パネルを提供できる。又本発明によるときは、熟練作業者でなくとも間仕切り用パネルを精度よく製造可能とするパネル枠材を提供できる。そして該パネル枠材を用いることによって、精度のよい間仕切り用パネルの製造を可能とする間仕切り用パネル基材を提供でき、又、精度のよい間仕切り用パネルをコスト低減を図って生産性よく製造し得る間仕切り用パネルの製造方法を提供できる。
【図面の簡単な説明】
【００１８】
【図１】本発明に係る間仕切り用パネルを示す一部欠切斜視図である。
【図２】その部分断面図である。
【図３】間仕切り用パネルの部分構成を説明する斜視図である。
【図４】間仕切り用パネルの部分構成を説明する分解斜視図である。
【図５】本発明に係るパネル枠材と、これに装着されるスライドカバー部材を示す斜視図である。
【図６】間仕切り用パネルを用いて構成されたローパーティションを示す斜視図である。
【図７】本発明に係る間仕切り用パネル基材を示す断面図である。
【図８】パネル枠材を用いて構成されたパネル枠の挿入溝部への、側面部材に設けられた屈曲片の挿入状態を示す断面図である。
【図９】挿入溝部の、外側の溝部内側面を傾斜平坦面として構成した場合の問題点を説明する説明図である。
【図１０】挿入溝部の内側の溝部内側面を直角平坦面として構成した場合の問題点を説明する説明図である。
【図１１】本発明に係る挿入溝部が該問題点を解決できることを説明する説明図である。
【図１２】パネル枠材を用いて構成されたパネル枠の挿入溝部にスライドカバー部材を装着した状態を示す断面図である。
【図１３】直角に交わるパネル枠相互をビスで接合した状態を示す断面図である。
【図１４】間仕切り用パネルの製造方法を説明する断面図である。
【図１５】門形に構成されたパネル枠体を用いて構成された間仕切り用パネルを示す正面図である。
【図１６】遮蔽板とカウンターが設けられてなるローパーティションを示す斜視図である。
【図１７】スライドカバー片の上面に設けられた支持溝に遮蔽板の下端部分を挿入して構成された遮蔽部を示す断面図である。
【図１８】スライドカバー片の上面に支持板の基端部分をビス固定して構成されたカウンターを示す断面図である。
【図１９】パネル枠材の他の態様を示す断面図である。
【図２０】従来の間仕切り用パネルの一例を示す断面図である。
【図２１】その製造方法を説明する説明図である。
【図２２】従来の間仕切り用パネルの他の態様を示す断面図である。
【図２３】従来のドアパネルの一例を示す断面図である。
【発明を実施するための形態】
【実施例１】
【００１９】
図１〜５において本発明に係るパネル枠材１（図５）は、対向する左右の側面部材２，２間に圧縮性芯材３が介在されてなる間仕切り用パネル（図１〜３）５の縁部６を構成するものであって、該圧縮性芯材３の芯材端面部７（図２）に内端９が当接されると共に、平行する左右の枠材側面部１０，１０には左右の前記側面部材２，２の縁側部分１１，１１が当接される如くなされている。ここに、該内端９が該芯材端面部７に当接される、とは、該内端９の全体が該芯材端面部７に接していることの他、該内端９が部分的に該芯材端面部７に接していることをも含むものである。前記側面部材２は、図４に示すように、前記圧縮性芯材３の芯材側面部１２に当接される平板部１３の前記縁側部分１１の外縁部１５に、前記間仕切り用パネル５の厚さ方向に直角状態に屈曲されてなる屈曲片１６が形成されている。
【００２０】
又図５に示すように、左右の前記枠材側面部１０，１０には、前記内端９と反対側をなす外端１７から該内端９側に稍控えた部位に、前記屈曲片１６を挿入させ得るＶ字状の挿入溝部１９が、該枠材側面部１０に対して直角方向に窪むように且つ左右対向状態に設けられている。そして図５（Ｂ）に示すように、該挿入溝部１９の、前記外端１７側に存する外側の溝部内側面２０は、前記枠材側面部１０と直角をなす直角平坦面として形成される一方、該挿入溝部１９の、前記内端９側に存する内側の溝部内側面２１は、該挿入溝部１９の溝幅を該挿入溝部１９の溝底２２からその開口端２３に向けてＶ字状に拡大させる傾斜平坦面２４として形成されている。以下、前記パネル枠材１の構成をより具体的に説明する。
【００２１】
前記パネル枠材１は、図５に示すように、外端部２５の左右両側に側面部２６，２６が左右対向して設けられてなる左右対称の角筒状を呈し、例えばアルミニウム合金製の押出成形体として構成されている。該パネル枠材１は、所要長さに切断されることによって、図１〜３に示す前記間仕切り用パネル５の矩形状のパネル枠体２７の上下のパネル枠２８，２８、左右のパネル枠２８，２８として用いられる。
【００２２】
前記間仕切り用パネル５は、例えば図６に示すローパーティション３８ａとしての間仕切り３８を構成するために用いられるものであり、本実施例においてはそのパネル高さが１１００ｍｍに設定されている。そのパネル幅は、図６に示すローパーティション３８ａにあっては４５０ｍｍと１０００ｍｍの２種類がある。図６において符号５ａ１で示す間仕切り用パネルのパネル幅は１０００ｍｍに設定されており、その他の間仕切り用パネル５のパネル幅は４５０ｍｍに設定されている。
【００２３】
該間仕切り用パネル５は、図７に示すパネル基材３２の前記左右の側面部材２，２の全体を向き合う方向に所要に押圧し、該側面部材２，２を前記芯材側面部１２，１２に接着して構成されている。
前記側面部材２は、例えば０．５ｍｍの厚さを有するスチール製の矩形状板体であって、前記平板部１３の前記四つの外縁部１５，１５，１５，１５には、図４に示すように、前記間仕切り用パネル５の厚さ方向に直角状態に屈曲されてなる前記屈曲片１６が形成されている。
【００２４】
前記パネル枠材１の基本構成は前記したところであり、図５において、その横幅Ｌ１は例えば３６．６ｍｍに設定されると共に、その高さＬ２は例えば２５．５ｍｍに設定されている。
【００２５】
図５において、左右の前記枠材側面部１０，１０は、左右の側枠部３３，３３の外面（内外方向Ｆ１に延長する面）３４として構成されており、左右の該側枠部３３，３３の、該内外方向Ｆ１で見た中間部位３５，３５相互は連結片３６で連結されている。又、該連結片３６の内面側の長手方向中央線に沿ってビス保持溝３７が設けられている。
【００２６】
そして左右の前記側枠部３３，３３の左右の内端９，９側の部分は、内方に開放されて内開放溝３９とされており、該側枠部３３，３３の該内端９，９が、前記のように芯材端面部７に当接される。又前記側枠部３３，３３の前記外端１７，１７側の部分は、外方に開放されて外開放溝４０とされている。
【００２７】
該外開放溝４０の内側面４１，４１の形態は夫々、左右対称の屈曲面として構成されている。該内側面４１，４１は、前記内外方向Ｆ１に延びる第１の内外方向面（前記枠材側面部１０，１０と平行する面）４２，４２の先端で、左右方向Ｆ２で見て内方向に延びる第１の左右方向面４５，４５（前記枠材側面部１０，１０と直交する面）が連設され、その先端で、前記内外方向Ｆ１に延びる第２の内外方向面４７，４７が連設され、その先端で、左右方向Ｆ２で見て外方向に延びる第２の左右方向面５０，５０が連設され、その先端で、前記内外方向Ｆ１に延びる第３の内外方向面５２，５２が連設され、その先端で、前記左右方向Ｆ２で見て外方向に延びる第３の左右方向面５５，５５が連設され、その先端で、前記内外方向Ｆ１に延びる第４の内外方向面５７，５７が連設されている。
【００２８】
左右の前記側枠部３３，３３の外端部分５９，５９には、前記枠材側面部１０，１０で開口する前記挿入溝部１９，１９が設けられ、その溝底２２の溝幅は１ｍｍに設定されると共にその開口端２３の溝幅は２ｍｍに設定され、該開口端２３の溝幅は、前記屈曲片１６の肉厚（０．５ｍｍ）よりも大きく設定されている。そして前記挿入溝部１９の溝深さは、前記屈曲片１６の長さよりも稍大きく設定されている。
【００２９】
本発明においては前記屈曲片１６が、図２に示すように、前記平板部１３の前記縁側部分１１の外縁部１５に、前記間仕切り用パネル５の厚さ方向に直角状態に屈曲されてなるが、該直角状態とは、製造誤差によって発生する鋭角状態での屈曲や鈍角状態での屈曲を含むものである。その一例を、前記挿入溝部１９への前記屈曲片１６の挿入態様と共に説明する。
【００３０】
図８（Ａ）は、前記屈曲片１６が、前記間仕切り用パネル５の厚さ方向に精度よく直角に屈曲された場合を示しており、該屈曲片１６が前記挿入溝部１９に無理なく挿入されている。図８（Ｂ）は、前記屈曲片１６が前記挿入溝部１９に挿入された他の状態を示すものである。同図は、前記屈曲片１６が前記直角よりも稍大きい鈍角に屈曲された場合における、該屈曲片１６の前記挿入溝部１９への挿入状態を示すものであり、該屈曲片１６の先端６２が前記外側の溝部内側面２０に接触した状態で該屈曲片１６が該挿入溝部１９に挿入されている。又図８（Ｃ）は、前記屈曲片１６の前記挿入溝部１９への挿入状態のその他の態様を示すものであり、前記屈曲片１６が前記直角よりも稍小さい鋭角に屈曲された場合における、該屈曲片１６の前記挿入溝部１９への挿入状態を示すものである。該屈曲片１６は、その先端６２が前記内側の溝部内側面２１に接触した状態で前記挿入溝部１９に挿入されている。かかる屈曲片１６の屈曲角度のバラツキは、屈曲片１６の延長長さが長くなれば長くなるほど、各部を精度よく直角に折り曲げることが困難となるために、製造誤差として生じ易い。
【００３１】
そのために本発明においては、Ｖ字状を呈する前記挿入溝部１９を設けているのであるが、これによって、前記屈曲片１６の屈曲角度にバラツキがあっても該屈曲片１６を該挿入溝部１９に確実に挿入させることが可能となる。このように挿入させれば、前記パネル枠体２７に対する前記側面部材２の前記縁側部分１１の正確な位置決め作業が不要となるので、前記パネル枠体２７に対する側面部材２のセットを容易化できる。その結果、熟練を要さずして均一な品質の間仕切り用パネル５を生産性よく製造できることとなる。
【００３２】
なお前記挿入溝部１９の外側の溝部内側面２０を、図７に示すように前記枠材側面部１０と直角をなす直角平坦面として形成するのではなく、例えば図９に示すように、前記内側の溝部内側面２１と対称の傾斜平坦面（外方に向けて傾斜する傾斜平坦面）６３として構成することも考えられる。しかしこの場合は、前記屈曲片１６を図９（Ａ）や図９（Ｂ）、図９（Ｃ）に示すように前記挿入溝部１９に挿入したとすれば、何れの場合も、該挿入状態において前記間仕切り用パネル５の外縁部分６４に不体裁な隙間６５が生じてしまい、間仕切り用パネル５の該外縁部分６４の美観を損なうことになってしまう。このようなことから本発明においては、前記挿入溝部１９の外側の溝部内側面２０を、前記枠材側面部１０と直角をなす直角平坦面として構成し、且つ、内側の溝部内側面２１を内方に向けて傾斜させた傾斜平坦面として、前記屈曲片１６の屈曲角度誤差を吸収するようになされている。
【００３３】
又、前記挿入溝部１９の外側の溝部内側面２０を、図１０に示すように、外方に向けて傾斜する傾斜平坦面６３として構成すると共に前記内側の溝部内側面２１を前記枠材側面部１０と直角をなす直角平坦面６６として形成することも考えられるが、この場合は、前記のような不体裁な隙間６５を生じさせることに加え、前記屈曲片１６が鋭角状態に屈曲していると、例えば図１０に一点鎖線示すように、該屈曲片１６を前記挿入溝部１９に挿入させんとする際に、該屈曲片１６の先端６２が該挿入溝部１９の開口端２３の外縁部６７に当たってしまい、該挿入溝部１９に挿入させ難い場合が生じてしまう。これに対して、図１１に示すように、該挿入溝部１９の内側の溝部の内側面２１を前記のように傾斜平坦面２４とする場合は、鋭角状態に屈曲した前記屈曲片１６を前記挿入溝部１９に無理なく挿入させることができる。
【００３４】
図３は、前記上のパネル枠２８の前記外開放溝４０を覆い隠すために該外開放溝４０にスライドカバー部材６８を装着した状態を示している。該スライドカバー部材６８は図５、図１２に示すように、該外開放溝４０の開放端６９（図１２）を覆うスライドカバー片７０の下面７１の左右両側において脚片７２，７２を突設してなる。該左右の脚片７２，７２は同様の構成を有しており、その先端に、図１２に示すように左右対向する前記第２の左右方向面５０，５０の縁部分７３，７３と当接状態に係合し得る係合突部７５，７５が設けられており、該係合突部７５，７５が、向き合う該縁部分７３，７３と当接状態に係合することによって前記スライドカバー部材６８の外れが防止される。該スライドカバー部材６８は、前記外開放溝４０の一端部からスライドにより装着される。なお図５においては、前記脚片７２，７２の、左右方向で見た外面７６，７６の中間部位において、先端部７７，７７が前記外方向に向け屈曲されてなる係合受片７９，７９が左右方向で突設されている。該係合受片７９，７９は、図１２に示すように、間仕切り用パネル５の角部分８０に装着されるコーナー部材８１（図３）に設けられている係合突片８２を圧入状態で受けることによって、該コーナー部材８１が該角部分８０から脱落するのを防止する。図３（Ｂ）は、該コーナー部材８１を該角部分に装着した状態を示している。
【００３５】
次に、前記パネル枠材１を用いて間仕切り用パネル５を製造する製造方法を説明する。図７は、該製造方法で用いるパネル基材３２を示している。該パネル基材３２は、図１３に示すように、前記した上下左右のパネル枠２８，２８，２８，２８が、枠コーナー部８５で留継ぎされて矩形状の前記パネル枠体２７が形成されている。そして留継ぎされた部分においては、図１３に示す直角をなすパネル枠２８，３０相互が、前記ビス保持溝３７（図５）で保持されるビス８６を用いて接合されている。
【００３６】
その後図７に示すように、前記パネル枠体２７内に、例えばペーパーコアとしての前記圧縮性芯材３が圧縮されていない状態で収容し、該圧縮性芯材３の左右の芯材側面部１０，１０に、接着力を発揮していない状態の熱硬化性接着剤を介在させて前記左右の側面部材２，２の前記平板部１３，１３を当接させる。その際図７に示すように、左右の前記側面部材２，２の前記平板部１３，１３の前記屈曲片１６，１６側の部分８７，８７が、前記枠材側面部１０，１０に、両面粘着テープ８９を介して接着状態で当接され、且つ、前記屈曲片１６，１６が前記左右の挿入溝部１９，１９に挿入される。該屈曲片１６，１６が該挿入溝部１９，１９に挿入された状態で、該平板部１３，１３の外表面９３，９３は、前記パネル枠体２７の、前記外側の溝部内側面２０，２０の外側に存する外側片部９１，９１の、左右方向で見ての先端９２よりも突出状態となっている。
【００３７】
前記製造方法は、前記構成を有するパネル基材３２を用いるものであり、図１４に矢印で示すように、該パネル基材３２の左右の前記側面部材２，２の左右の前記平板部１３，１３の全面に対して、左右方向で、前記熱硬化性接着剤を溶融させ得る加熱状態でプレス加工を施し、圧縮代の分だけ前記圧縮性芯材３を圧縮させる。この圧縮は、前記パネル基材３２の前記左右の平板部１３，１３の外表面９３，９３が、図７（Ｂ）に示すように、前記パネル枠体２７の前記外側片部９１の先端９２，９２よりも突出状態となっているために確実に行われる。該プレス加工は、該外表面９３，９３が前記外側片部９１，９１の先端９２，９２から若干突出した状態（例えば０．２ｍｍ程度突出した状態）で完了する。
【００３８】
そしてこの状態で、前記平板部１３，１３が前記熱硬化性接着剤で前記圧縮性芯材３に確実に接着され、これによって所要の間仕切り用パネル５が製造される。この製造工程においては、前記パネル基材３２に前記のようにプレス加工が施されるのであるが、その際、前記屈曲片１６が前記挿入溝部１９に挿入されているため、該プレス加工の際に生ずる前記圧縮性芯材３の膨らみ変形によっても、該屈曲片１６と該挿入溝部１９との係合によって前記パネル枠２８が外方向に向けて或いは内方向に向けて想定範囲を越えて移動するのを確実に阻止できる。
【００３９】
従って熟練作業者でなくても、前記パネル枠体２７に対する前記左右の側面部材２，２の端縁部３１，３１（図７）の位置関係を正確に設定でき、前記側面部材２の縁部分がめくれる等の従来における問題を生じさせる恐れのない高品質で耐久性に優れる間仕切り用パネル５を生産性よく製造できることとなる。
【実施例２】
【００４０】
本発明は、前記実施例で示したものに限定されるものでは決してなく、「特許請求の範囲」の記載内で種々の設計変更が可能であることはいうまでもない。その一例を挙げれば次のようである。
【００４１】
(1) 本発明に係る間仕切り用パネル５は、前記ローパーティションやハイパーティションを構成する間仕切り用パネルとして応用されることの他、開き戸や引戸として応用されることもある。
【００４２】
(2) 前記パネル枠材1 は、前記アルミニウム合金製の押出成形体として構成されることの他、樹脂製やスチール製の押出成形体として構成されることもある。
【００４３】
(3) 前記熱硬化性接着剤は、ホットメルト接着剤には限られず、ウレタン発泡樹脂であってもよい。ウレタン発泡樹脂を用いる場合は前記プレス加工を加熱状態で行う必要はなく、プレス加工中において、注入口から前記パネル枠体２７内にウレタン発泡樹脂を充填する。
【００４４】
(4) 前記圧縮性芯材３は、前記したペーパーコアの他、段ボール製のコア、ウレタン発泡体からなるコア等の圧縮性を有するコアを用いることもできる。
【００４５】
(5) 前記パネル枠体２７は、前記パネル枠材１を所要長さに切断して構成された４本のパネル枠の端部相互を連結して構成されることの他、適宜部位にＶカットが施されてなる長尺部材を該Ｖカット部で折り曲げて構成されることもある。
【００４６】
(6) 前記パネル枠体２７は、前記間仕切り用パネル５の縁部の全体に前記パネル枠２８を配置して構成されることの他、例えば図１５に示すように、前記間仕切り用パネル５の下端の縁部６a を除いて前記パネル枠２８を配置して門形に構成されることもある。
【００４７】
(7) 前記パネル枠２８の前記外開放溝４０を覆い隠すために該外開放溝４０にスライドカバー部材６７を装着する場合、該スライドカバー部材６７は、例えば図１６〜１７に示すように、遮蔽板９５を前記間仕切り３８に取り付けるためのアタッチメントとして用いることもできる。そのために図１７においては、前記スライドカバー片６７の上面９６に、該遮蔽板９５の下端部分９７を挿入させる支持溝９９を、両挟持片１００，１００の立設によって形成している。
【００４８】
又該スライドカバー部材６７は、例えば図１６、図１８に示すように、前記間仕切り３８にカウンター１０１を形成するためのアタッチメントとして用いることもできる。該カウンター１０１を形成するために図１８においては、支持板１０２の基端部分１０３が前記スライドカバー部材６７に例えばビス１０５で固定されている。
【００４９】
(8) 図１９は、前記パネル枠材１の他の態様を示すものであり、前記外開放溝４０をカバー片部１０６で覆うことによって該外開放溝４０が省略されている。
【００５０】
(9) 前記間仕切り用パネル５の厚さは、その用途に応じて、例えば１９〜８２ｍｍに設定できる。
【符号の説明】
【００５１】
１  パネル枠材
２  側面部材
３  圧縮性芯材
５  間仕切り用パネル
６  縁部
７  芯材端面部
９  内端
１３  平板部
１６  屈曲片
１７  外端
１９  挿入溝部  
２０  外側の溝部内側面
２１  内側の溝部内側面
２２  溝底
２３  開口端
２４  傾斜平坦面
２７  パネル枠体
２８  パネル枠
３８  間仕切り
６７  スライドカバー部材
８９  両面粘着テープ
【図１】
2019039149.tif 000003
【図２】
2019039149.tif 000004
【図３】
2019039149.tif 000005
【図４】
2019039149.tif 000006
【図５】
2019039149.tif 000007
【図６】
2019039149.tif 000008
【図７】
2019039149.tif 000009
【図８】
2019039149.tif 000010
【図９】
2019039149.tif 000011
【図１０】
2019039149.tif 000012
【図１１】
2019039149.tif 000013
【図１２】
2019039149.tif 000014
【図１３】
2019039149.tif 000015
【図１４】
2019039149.tif 000016
【図１５】
2019039149.tif 000017
【図１６】
2019039149.tif 000018
【図１７】
2019039149.tif 000019
【図１８】
2019039149.tif 000020
【図１９】
2019039149.tif 000021
【図２０】
2019039149.tif 000022
【図２１】
2019039149.tif 000023
【図２２】
2019039149.tif 000024
【図２３】
2019039149.tif 000025
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
対向する左右の側面部材間に圧縮性芯材が介在されてなる間仕切り用パネルの縁部を構成するパネル枠材であって、該圧縮性芯材の芯材端面部に内端が当接されると共に、平行する左右の枠材側面部には、左右の前記側面部材の縁側部分が当接される如くなされ、前記側面部材は、前記圧縮性芯材の芯材側面部に当接される平板部の前記縁側部分の外縁部に、前記間仕切り用パネルの厚さ方向に直角状態に屈曲されてなる屈曲片が形成されており、又、左右の前記枠材側面部には、前記内端と反対側をなす外端から前記内端側に稍控えた部位に、前記屈曲片を挿入させ得る挿入溝部が、該枠材側面部に対して直角方向に窪むように且つ左右対向状態に設けられており、該挿入溝部の、前記外端側に存する外側の溝部内側面は、前記枠材側面部と直角をなす直角平坦面として形成される一方、該挿入溝部の、前記内端側に存する内側の溝部内側面は、該挿入溝部の溝幅を該挿入溝部の溝底からその開口端に向けてＶ字状に拡大させる傾斜平坦面として形成されている間仕切り用パネル枠材を用いてなる間仕切り用パネル基材であって、
前記屈曲片が前記挿入溝部に挿入された状態で、前記平板部の前記屈曲片側の部分が前記枠材側面部に接着されており、且つ、前記圧縮性芯材が、圧縮されていない状態で前記平板部間に介在されており、前記左右の前記平板部に対し、左右方向でプレス加工を施して前記圧縮性芯材を圧縮させたときに、前記屈曲片の先端が前記傾斜平坦面に当接状態に係合することによって、前記パネル枠材が外方向に向けて移動するのを阻止できるように構成されていることを特徴とする間仕切り用パネル基材。
【手続補正２】
【補正対象書類名】明細書
【補正対象項目名】全文
【補正方法】変更
【補正の内容】
【発明の詳細な説明】
【技術分野】
【０００１】
本発明は、間仕切り用パネル枠材に関するものであり、又、該間仕切り用パネル枠材を用いる間仕切り用パネル枠材と間仕切り用パネル基材に関するものであり、更に、該間仕切り用パネル枠材を用いる間仕切り用パネルの製造方法に関するものである。
【背景技術】
【０００２】
ローパーティション等の間仕切りを構成するために用いられる間仕切り用パネルａの一例は、例えば図２０に示すように、縦枠材と横枠材と適宜の補強枠材としての枠材ｂを所要に枠組みしてなるパネル枠体ｃ内にペーパーコア等の芯材ｄを収容すると共にその両側面部ｅ，ｅに表面材ｆ，ｆを貼着してなるものであった。
【０００３】
かかる構成を有する間仕切り用パネルａの製造方法の一例を説明すれば、先ず図２１に示すようなパネル基材ｇを形成する。該パネル基材ｇは、縦枠材と横枠材と適宜の補強枠材としての前記枠材ｂを所要に枠組みしてなる前記パネル枠体ｃ内に、該パネル枠体ｃの厚さよりも若干厚く形成された圧縮性芯材（例えばペーパーコア）ｄを収容すると共にその両側面部ｅ，ｅに、熱硬化性接着剤を介在させて前記表面材ｆ，ｆを当接させ、その周縁部分ｈ，ｈを前記パネル枠体ｃの両側面ｊ，ｊに例えば両面粘着テープｋを介して仮接着させる。
【０００４】
その後図２１（Ａ）に一点鎖線で示すように押圧板部ｍを介し、前記熱硬化性接着剤を溶融させ得る加熱状態で、前記表面材ｆ，ｆを向き合う左右方向に押圧するようにプレス加工を施して前記芯材ｄを圧縮させる。これによって、前記表面材ｆ，ｆを前記芯材ｄに接着させることができる。
【０００５】
生産工場における該製造工程は、前記パネル基材ｇをプレス加工部に向けてコンベアで搬送して後、該プレス加工部において前記プレス加工を施すものであった。そのため、コンベア搬送時における振動の影響によって、前記両面粘着テープｋを介して前記パネル枠体ｃの前記両側面ｊ，ｊに仮接着されているに過ぎなかった前記表面材ｆ，ｆの該側面ｊ，ｊに対する位置関係がずれ易く、その結果、前記枠材ｂの縁部ｎと前記表面材ｆの端部ｐとの間の間隙ｑ（図２１（Ｂ））が小さくなったり或いは大きくなったりする問題があった。
【０００６】
加えて、前記プレス加工時において前記芯材ｄが左右方向で圧縮されることに伴い、前記パネル枠体ｃ内に拘束されている前記芯材ｄが、該パネル枠体ｃ内での外周側において、外方向に向けて膨らむように移動したり、或いは内方向に向けて膨らむように移動する現象が生じた。
【０００７】
その結果、外方向に向けての前記膨らみ移動によって前記枠材ｂが外方向に向けて移動する現象が生じ易く、或いは、内方向に向けての前記脹らみ移動によって前記枠材ｂが内方向に向けて移動する現象が生じ易かった。これらの移動現象の阻止は熟練作業者にとっても難しく、移動量が０．５〜１．０ｍｍ程度となる場合があった。
【０００８】
前記間隙ｑにバラツキが生ずると、間仕切り用パネルａの見栄えが損なわれる問題があった。又、前記間隙ｑが大きくなった場合、該表面材ｆの端部ｐに人の指先や物が引っ掛かって該表面材ｆの端部側が部分的にめくれて浮き上がる恐れがあった。浮き上がった状態になると、間仕切り用パネルａの美観を損なうばかりか、この浮き上がった部分に指先が触れると怪我をする恐れもあった。
【０００９】
ところで特許文献１には、図２２に示すように、両表面材ｆ，ｆの縁部分を対向側に折り曲げて形成した折曲片ｒ，ｒを枠材ｂの外面部ｔに当接させてなる間仕切り用パネルａが記載されている。該間仕切り用パネルａによるときは、前記プレス工程において、例えばペーパーコアからなる芯材ｄが圧縮された場合における該芯材ｄの外方向に向けての膨らみ移動に起因する前記枠材ｂの外方向に向けて移動は、前記折曲片ｒ，ｒの移動規制作用によって阻止できる。しかし、該圧縮された場合における該芯材ｄの内方向に向けての膨らみ移動に起因する前記枠材ｂの内方向に向けての移動は阻止できなかった。このように枠材ｂが内方向に向けて移動すると、前記折曲片ｒと前記枠材ｂの外面部ｔとの間に隙間が生ずることとなり、図２１（Ｂ）に基づいて説明したと同様の美観損傷、指先が触れた場合の怪我をする恐れ等の前記と同様の問題点を解決できなかった。
【００１０】
又特許文献１には、図２３に示すような、ドアパネルの表面材を複数枚に分割して該表面材ｆの縁部分を直角に折り曲げて形成した折曲片ｕを、ドアパネルの表面部に適宜に設けた溝部ｖの底部で突設した突部ｗと該溝部ｖの内側面部ｘとの間に形成した挿入溝部ｙに密接状態に嵌入させる構成が記載されている。このような嵌入は、前記折曲片ｕが精度よく直角に折り曲げ形成されていて始めて可能になることである。一般に、前記表面材ｆの長さが短い場合は前記折曲片ｕの延長長さが短いために、該折曲片を精度よく直角に折り曲げ形成することは比較的容易であるが、ドアパネルの表面を１枚の表面材で覆う場合のように表面材の長さが長い場合は、前記折曲片ｕの延長長さが長くなるために、該折曲片ｕをその全長に亘って精度よく直角に折り曲げるのは困難であり、折り曲げ角度が鋭角になったり鈍角になったりし易い。このような折曲片では、前記挿入溝部ｙに挿入させられない場合が生じてしまう。
【先行技術文献】
【特許文献】
【００１１】
【特許文献１】特開２００５−２８２１７５号公報
【発明の概要】
【発明が解決しようとする課題】
【００１２】
本発明は、前記従来の問題点に鑑みて開発されたものであり、熟練者でなくても間仕切り用パネルを精度よく製造可能とする間仕切り用パネル枠材の提供を課題とするものであり、又、精度のよい間仕切り用パネルの製造を可能とする間仕切り用パネル基材の提供を課題とするものである。
【課題を解決するための手段】
【００１３】
前記課題を解決するため本発明は以下の手段を採用する。
即ち本発明に係る間仕切り用パネル枠材（以下、パネル枠材という）は、対向する左右の側面部材間に圧縮性芯材が介在されてなる間仕切り用パネルの縁部を構成するパネル枠材であって、該圧縮性芯材の芯材端面部に内端が当接されると共に、平行する左右の枠材側面部には、左右の前記側面部材の縁側部分が当接される如くなされ、前記側面部材は、前記圧縮性芯材の芯材側面部に当接される平板部の前記縁側部分の外縁部に、前記間仕切り用パネルの厚さ方向に直角状態に屈曲されてなる屈曲片が形成されており、又、左右の前記枠材側面部には、前記内端と反対側をなす外端から前記内端側に稍控えた部位に、前記屈曲片を挿入させ得る挿入溝部が、該枠材側面部に対して直角方向に窪むように且つ左右対向状態に設けられており、該挿入溝部の、前記外端側に存する外側の溝部内側面は、前記枠材側面部と直角をなす直角平坦面として形成される一方、該挿入溝部の、前記内端側に存する内側の溝部内側面は、該挿入溝部の溝幅を該挿入溝部の溝底からその開口端に向けてＶ字状に拡大させる傾斜平坦面として形成されている間仕切り用パネル枠材を用いてなる間仕切り用パネル基材であって、
前記屈曲片が前記挿入溝部に挿入された状態で、前記平板部の前記屈曲片側の部分が前記枠材側面部に接着されており、且つ、前記圧縮性芯材が、圧縮されていない状態で前記平板部間に介在されており、前記左右の前記平板部に対し、左右方向でプレス加工を施して前記圧縮性芯材を圧縮させたときに、前記屈曲片の先端が前記傾斜平坦面に当接状態に係合することによって、前記パネル枠材が外方向に向けて移動するのを阻止できるように構成されていることを特徴とする間仕切り用パネル基材。
【発明の効果】
【００１４】
本発明は以下の如き優れた効果を奏する。
本発明によるときは、精度が高く美観のよい間仕切り用パネルを提供できる。又本発明によるときは、熟練作業者でなくとも間仕切り用パネルを精度よく製造可能とするパネル枠材を提供できる。そして該パネル枠材を用いることによって、精度のよい間仕切り用パネルの製造を可能とする間仕切り用パネル基材を提供できる。
【図面の簡単な説明】
【００１５】
【図１】本発明に係る間仕切り用パネルを示す一部欠切斜視図である。
【図２】その部分断面図である。
【図３】間仕切り用パネルの部分構成を説明する斜視図である。
【図４】間仕切り用パネルの部分構成を説明する分解斜視図である。
【図５】本発明に係るパネル枠材と、これに装着されるスライドカバー部材を示す斜視図である。
【図６】間仕切り用パネルを用いて構成されたローパーティションを示す斜視図である。
【図７】本発明に係る間仕切り用パネル基材を示す断面図である。
【図８】パネル枠材を用いて構成されたパネル枠の挿入溝部への、側面部材に設けられた屈曲片の挿入状態を示す断面図である。
【図９】挿入溝部の、外側の溝部内側面を傾斜平坦面として構成した場合の問題点を説明する説明図である。
【図１０】挿入溝部の内側の溝部内側面を直角平坦面として構成した場合の問題点を説明する説明図である。
【図１１】本発明に係る挿入溝部が該問題点を解決できることを説明する説明図である。
【図１２】パネル枠材を用いて構成されたパネル枠の挿入溝部にスライドカバー部材を装着した状態を示す断面図である。
【図１３】直角に交わるパネル枠相互をビスで接合した状態を示す断面図である。
【図１４】間仕切り用パネルの製造方法を説明する断面図である。
【図１５】門形に構成されたパネル枠体を用いて構成された間仕切り用パネルを示す正面図である。
【図１６】遮蔽板とカウンターが設けられてなるローパーティションを示す斜視図である。
【図１７】スライドカバー片の上面に設けられた支持溝に遮蔽板の下端部分を挿入して構成された遮蔽部を示す断面図である。
【図１８】スライドカバー片の上面に支持板の基端部分をビス固定して構成されたカウンターを示す断面図である。
【図１９】パネル枠材の他の態様を示す断面図である。
【図２０】従来の間仕切り用パネルの一例を示す断面図である。
【図２１】その製造方法を説明する説明図である。
【図２２】従来の間仕切り用パネルの他の態様を示す断面図である。
【図２３】従来のドアパネルの一例を示す断面図である。
【発明を実施するための形態】
【実施例１】
【００１６】
図１〜５において本発明に係るパネル枠材１（図５）は、対向する左右の側面部材２，２間に圧縮性芯材３が介在されてなる間仕切り用パネル（図１〜３）５の縁部６を構成するものであって、該圧縮性芯材３の芯材端面部７（図２）に内端９が当接されると共に、平行する左右の枠材側面部１０，１０には左右の前記側面部材２，２の縁側部分１１，１１が当接される如くなされている。ここに、該内端９が該芯材端面部７に当接される、とは、該内端９の全体が該芯材端面部７に接していることの他、該内端９が部分的に該芯材端面部７に接していることをも含むものである。前記側面部材２は、図４に示すように、前記圧縮性芯材３の芯材側面部１２に当接される平板部１３の前記縁側部分１１の外縁部１５に、前記間仕切り用パネル５の厚さ方向に直角状態に屈曲されてなる屈曲片１６が形成されている。
【００１７】
又図５に示すように、左右の前記枠材側面部１０，１０には、前記内端９と反対側をなす外端１７から該内端９側に稍控えた部位に、前記屈曲片１６を挿入させ得るＶ字状の挿入溝部１９が、該枠材側面部１０に対して直角方向に窪むように且つ左右対向状態に設けられている。そして図５（Ｂ）に示すように、該挿入溝部１９の、前記外端１７側に存する外側の溝部内側面２０は、前記枠材側面部１０と直角をなす直角平坦面として形成される一方、該挿入溝部１９の、前記内端９側に存する内側の溝部内側面２１は、該挿入溝部１９の溝幅を該挿入溝部１９の溝底２２からその開口端２３に向けてＶ字状に拡大させる傾斜平坦面２４として形成されている。以下、前記パネル枠材１の構成をより具体的に説明する。
【００１８】
前記パネル枠材１は、図５に示すように、外端部２５の左右両側に側面部２６，２６が左右対向して設けられてなる左右対称の角筒状を呈し、例えばアルミニウム合金製の押出成形体として構成されている。該パネル枠材１は、所要長さに切断されることによって、図１〜３に示す前記間仕切り用パネル５の矩形状のパネル枠体２７の上下のパネル枠２８，２８、左右のパネル枠２８，２８として用いられる。
【００１９】
前記間仕切り用パネル５は、例えば図６に示すローパーティション３８ａとしての間仕切り３８を構成するために用いられるものであり、本実施例においてはそのパネル高さが１１００ｍｍに設定されている。そのパネル幅は、図６に示すローパーティション３８ａにあっては４５０ｍｍと１０００ｍｍの２種類がある。図６において符号５ａ１で示す間仕切り用パネルのパネル幅は１０００ｍｍに設定されており、その他の間仕切り用パネル５のパネル幅は４５０ｍｍに設定されている。
【００２０】
該間仕切り用パネル５は、図７に示すパネル基材３２の前記左右の側面部材２，２の全体を向き合う方向に所要に押圧し、該側面部材２，２を前記芯材側面部１２，１２に接着して構成されている。
前記側面部材２は、例えば０．５ｍｍの厚さを有するスチール製の矩形状板体であって、前記平板部１３の前記四つの外縁部１５，１５，１５，１５には、図４に示すように、前記間仕切り用パネル５の厚さ方向に直角状態に屈曲されてなる前記屈曲片１６が形成されている。
【００２１】
前記パネル枠材１の基本構成は前記したところであり、図５において、その横幅Ｌ１は例えば３６．６ｍｍに設定されると共に、その高さＬ２は例えば２５．５ｍｍに設定されている。
【００２２】
図５において、左右の前記枠材側面部１０，１０は、左右の側枠部３３，３３の外面（内外方向Ｆ１に延長する面）３４として構成されており、左右の該側枠部３３，３３の、該内外方向Ｆ１で見た中間部位３５，３５相互は連結片３６で連結されている。又、該連結片３６の内面側の長手方向中央線に沿ってビス保持溝３７が設けられている。
【００２３】
そして左右の前記側枠部３３，３３の左右の内端９，９側の部分は、内方に開放されて内開放溝３９とされており、該側枠部３３，３３の該内端９，９が、前記のように芯材端面部７に当接される。又前記側枠部３３，３３の前記外端１７，１７側の部分は、外方に開放されて外開放溝４０とされている。
【００２４】
該外開放溝４０の内側面４１，４１の形態は夫々、左右対称の屈曲面として構成されている。該内側面４１，４１は、前記内外方向Ｆ１に延びる第１の内外方向面（前記枠材側面部１０，１０と平行する面）４２，４２の先端で、左右方向Ｆ２で見て内方向に延びる第１の左右方向面４５，４５（前記枠材側面部１０，１０と直交する面）が連設され、その先端で、前記内外方向Ｆ１に延びる第２の内外方向面４７，４７が連設され、その先端で、左右方向Ｆ２で見て外方向に延びる第２の左右方向面５０，５０が連設され、その先端で、前記内外方向Ｆ１に延びる第３の内外方向面５２，５２が連設され、その先端で、前記左右方向Ｆ２で見て外方向に延びる第３の左右方向面５５，５５が連設され、その先端で、前記内外方向Ｆ１に延びる第４の内外方向面５７，５７が連設されている。
【００２５】
左右の前記側枠部３３，３３の外端部分５９，５９には、前記枠材側面部１０，１０で開口する前記挿入溝部１９，１９が設けられ、その溝底２２の溝幅は１ｍｍに設定されると共にその開口端２３の溝幅は２ｍｍに設定され、該開口端２３の溝幅は、前記屈曲片１６の肉厚（０．５ｍｍ）よりも大きく設定されている。そして前記挿入溝部１９の溝深さは、前記屈曲片１６の長さよりも稍大きく設定されている。
【００２６】
本発明においては前記屈曲片１６が、図２に示すように、前記平板部１３の前記縁側部分１１の外縁部１５に、前記間仕切り用パネル５の厚さ方向に直角状態に屈曲されてなるが、該直角状態とは、製造誤差によって発生する鋭角状態での屈曲や鈍角状態での屈曲を含むものである。その一例を、前記挿入溝部１９への前記屈曲片１６の挿入態様と共に説明する。
【００２７】
図８（Ａ）は、前記屈曲片１６が、前記間仕切り用パネル５の厚さ方向に精度よく直角に屈曲された場合を示しており、該屈曲片１６が前記挿入溝部１９に無理なく挿入されている。図８（Ｂ）は、前記屈曲片１６が前記挿入溝部１９に挿入された他の状態を示すものである。同図は、前記屈曲片１６が前記直角よりも稍大きい鈍角に屈曲された場合における、該屈曲片１６の前記挿入溝部１９への挿入状態を示すものであり、該屈曲片１６の先端６２が前記外側の溝部内側面２０に接触した状態で該屈曲片１６が該挿入溝部１９に挿入されている。又図８（Ｃ）は、前記屈曲片１６の前記挿入溝部１９への挿入状態のその他の態様を示すものであり、前記屈曲片１６が前記直角よりも稍小さい鋭角に屈曲された場合における、該屈曲片１６の前記挿入溝部１９への挿入状態を示すものである。該屈曲片１６は、その先端６２が前記内側の溝部内側面２１に接触した状態で前記挿入溝部１９に挿入されている。かかる屈曲片１６の屈曲角度のバラツキは、屈曲片１６の延長長さが長くなれば長くなるほど、各部を精度よく直角に折り曲げることが困難となるために、製造誤差として生じ易い。
【００２８】
そのために本発明においては、Ｖ字状を呈する前記挿入溝部１９を設けているのであるが、これによって、前記屈曲片１６の屈曲角度にバラツキがあっても該屈曲片１６を該挿入溝部１９に確実に挿入させることが可能となる。このように挿入させれば、前記パネル枠体２７に対する前記側面部材２の前記縁側部分１１の正確な位置決め作業が不要となるので、前記パネル枠体２７に対する側面部材２のセットを容易化できる。その結果、熟練を要さずして均一な品質の間仕切り用パネル５を生産性よく製造できることとなる。
【００２９】
なお前記挿入溝部１９の外側の溝部内側面２０を、図７に示すように前記枠材側面部１０と直角をなす直角平坦面として形成するのではなく、例えば図９に示すように、前記内側の溝部内側面２１と対称の傾斜平坦面（外方に向けて傾斜する傾斜平坦面）６３として構成することも考えられる。しかしこの場合は、前記屈曲片１６を図９（Ａ）や図９（Ｂ）、図９（Ｃ）に示すように前記挿入溝部１９に挿入したとすれば、何れの場合も、該挿入状態において前記間仕切り用パネル５の外縁部分６４に不体裁な隙間６５が生じてしまい、間仕切り用パネル５の該外縁部分６４の美観を損なうことになってしまう。このようなことから本発明においては、前記挿入溝部１９の外側の溝部内側面２０を、前記枠材側面部１０と直角をなす直角平坦面として構成し、且つ、内側の溝部内側面２１を内方に向けて傾斜させた傾斜平坦面として、前記屈曲片１６の屈曲角度誤差を吸収するようになされている。
【００３０】
又、前記挿入溝部１９の外側の溝部内側面２０を、図１０に示すように、外方に向けて傾斜する傾斜平坦面６３として構成すると共に前記内側の溝部内側面２１を前記枠材側面部１０と直角をなす直角平坦面６６として形成することも考えられるが、この場合は、前記のような不体裁な隙間６５を生じさせることに加え、前記屈曲片１６が鋭角状態に屈曲していると、例えば図１０に一点鎖線示すように、該屈曲片１６を前記挿入溝部１９に挿入させんとする際に、該屈曲片１６の先端６２が該挿入溝部１９の開口端２３の外縁部６７に当たってしまい、該挿入溝部１９に挿入させ難い場合が生じてしまう。これに対して、図１１に示すように、該挿入溝部１９の内側の溝部の内側面２１を前記のように傾斜平坦面２４とする場合は、鋭角状態に屈曲した前記屈曲片１６を前記挿入溝部１９に無理なく挿入させることができる。
【００３１】
図３は、前記上のパネル枠２８の前記外開放溝４０を覆い隠すために該外開放溝４０にスライドカバー部材６８を装着した状態を示している。該スライドカバー部材６８は図５、図１２に示すように、該外開放溝４０の開放端６９（図１２）を覆うスライドカバー片７０の下面７１の左右両側において脚片７２，７２を突設してなる。該左右の脚片７２，７２は同様の構成を有しており、その先端に、図１２に示すように左右対向する前記第２の左右方向面５０，５０の縁部分７３，７３と当接状態に係合し得る係合突部７５，７５が設けられており、該係合突部７５，７５が、向き合う該縁部分７３，７３と当接状態に係合することによって前記スライドカバー部材６８の外れが防止される。該スライドカバー部材６８は、前記外開放溝４０の一端部からスライドにより装着される。なお図５においては、前記脚片７２，７２の、左右方向で見た外面７６，７６の中間部位において、先端部７７，７７が前記外方向に向け屈曲されてなる係合受片７９，７９が左右方向で突設されている。該係合受片７９，７９は、図１２に示すように、間仕切り用パネル５の角部分８０に装着されるコーナー部材８１（図３）に設けられている係合突片８２を圧入状態で受けることによって、該コーナー部材８１が該角部分８０から脱落するのを防止する。図３（Ｂ）は、該コーナー部材８１を該角部分に装着した状態を示している。
【００３２】
次に、前記パネル枠材１を用いて間仕切り用パネル５を製造する製造方法を説明する。図７は、該製造方法で用いるパネル基材３２を示している。該パネル基材３２は、図１３に示すように、前記した上下左右のパネル枠２８，２８，２８，２８が、枠コーナー部８５で留継ぎされて矩形状の前記パネル枠体２７が形成されている。そして留継ぎされた部分においては、図１３に示す直角をなすパネル枠２８，３０相互が、前記ビス保持溝３７（図５）で保持されるビス８６を用いて接合されている。
【００３３】
その後図７に示すように、前記パネル枠体２７内に、例えばペーパーコアとしての前記圧縮性芯材３が圧縮されていない状態で収容し、該圧縮性芯材３の左右の芯材側面部１０，１０に、接着力を発揮していない状態の熱硬化性接着剤を介在させて前記左右の側面部材２，２の前記平板部１３，１３を当接させる。その際図７に示すように、左右の前記側面部材２，２の前記平板部１３，１３の前記屈曲片１６，１６側の部分８７，８７が、前記枠材側面部１０，１０に、両面粘着テープ８９を介して接着状態で当接され、且つ、前記屈曲片１６，１６が前記左右の挿入溝部１９，１９に挿入される。該屈曲片１６，１６が該挿入溝部１９，１９に挿入された状態で、該平板部１３，１３の外表面９３，９３は、前記パネル枠体２７の、前記外側の溝部内側面２０，２０の外側に存する外側片部９１，９１の、左右方向で見ての先端９２よりも突出状態となっている。
【００３４】
前記製造方法は、前記構成を有するパネル基材３２を用いるものであり、図１４に矢印で示すように、該パネル基材３２の左右の前記側面部材２，２の左右の前記平板部１３，１３の全面に対して、左右方向で、前記熱硬化性接着剤を溶融させ得る加熱状態でプレス加工を施し、圧縮代の分だけ前記圧縮性芯材３を圧縮させる。この圧縮は、前記パネル基材３２の前記左右の平板部１３，１３の外表面９３，９３が、図７（Ｂ）に示すように、前記パネル枠体２７の前記外側片部９１の先端９２，９２よりも突出状態となっているために確実に行われる。該プレス加工は、該外表面９３，９３が前記外側片部９１，９１の先端９２，９２から若干突出した状態（例えば０．２ｍｍ程度突出した状態）で完了する。
【００３５】
そしてこの状態で、前記平板部１３，１３が前記熱硬化性接着剤で前記圧縮性芯材３に確実に接着され、これによって所要の間仕切り用パネル５が製造される。この製造工程においては、前記パネル基材３２に前記のようにプレス加工が施されるのであるが、その際、前記屈曲片１６が前記挿入溝部１９に挿入されているため、該プレス加工の際に生ずる前記圧縮性芯材３の膨らみ変形によっても、該屈曲片１６と該挿入溝部１９との係合によって前記パネル枠２８が外方向に向けて或いは内方向に向けて想定範囲を越えて移動するのを確実に阻止できる。
【００３６】
従って熟練作業者でなくても、前記パネル枠体２７に対する前記左右の側面部材２，２の端縁部３１，３１（図７）の位置関係を正確に設定でき、前記側面部材２の縁部分がめくれる等の従来における問題を生じさせる恐れのない高品質で耐久性に優れる間仕切り用パネル５を生産性よく製造できることとなる。
【実施例２】
【００３７】
本発明は、前記実施例で示したものに限定されるものでは決してなく、「特許請求の範囲」の記載内で種々の設計変更が可能であることはいうまでもない。その一例を挙げれば次のようである。
【００３８】
（１）本発明に係る間仕切り用パネル５は、前記ローパーティションやハイパーティションを構成する間仕切り用パネルとして応用されることの他、開き戸や引戸として応用されることもある。
【００３９】
（２）前記パネル枠材1 は、前記アルミニウム合金製の押出成形体として構成されることの他、樹脂製やスチール製の押出成形体として構成されることもある。
【００４０】
（３）前記熱硬化性接着剤は、ホットメルト接着剤には限られず、ウレタン発泡樹脂であってもよい。ウレタン発泡樹脂を用いる場合は前記プレス加工を加熱状態で行う必要はなく、プレス加工中において、注入口から前記パネル枠体２７内にウレタン発泡樹脂を充填する。
【００４１】
（４）前記圧縮性芯材３は、前記したペーパーコアの他、段ボール製のコア、ウレタン発泡体からなるコア等の圧縮性を有するコアを用いることもできる。
【００４２】
（５）前記パネル枠体２７は、前記パネル枠材１を所要長さに切断して構成された４本のパネル枠の端部相互を連結して構成されることの他、適宜部位にＶカットが施されてなる長尺部材を該Ｖカット部で折り曲げて構成されることもある。
【００４３】
（６）前記パネル枠体２７は、前記間仕切り用パネル５の縁部の全体に前記パネル枠２８を配置して構成されることの他、例えば図１５に示すように、前記間仕切り用パネル５の下端の縁部６a を除いて前記パネル枠２８を配置して門形に構成されることもある。
【００４４】
（７）前記パネル枠２８の前記外開放溝４０を覆い隠すために該外開放溝４０にスライドカバー部材６７を装着する場合、該スライドカバー部材６７は、例えば図１６〜１７に示すように、遮蔽板９５を前記間仕切り３８に取り付けるためのアタッチメントとして用いることもできる。そのために図１７においては、前記スライドカバー片６７の上面９６に、該遮蔽板９５の下端部分９７を挿入させる支持溝９９を、両挟持片１００，１００の立設によって形成している。
【００４５】
又該スライドカバー部材６７は、例えば図１６、図１８に示すように、前記間仕切り３８にカウンター１０１を形成するためのアタッチメントとして用いることもできる。該カウンター１０１を形成するために図１８においては、支持板１０２の基端部分１０３が前記スライドカバー部材６７に例えばビス１０５で固定されている。
【００４６】
（８）図１９は、前記パネル枠材１の他の態様を示すものであり、前記外開放溝４０をカバー片部１０６で覆うことによって該外開放溝４０が省略されている。
【００４７】
（９）前記間仕切り用パネル５の厚さは、その用途に応じて、例えば１９〜８２ｍｍに設定できる。
【符号の説明】
【００４８】
１  パネル枠材
２  側面部材
３  圧縮性芯材
５  間仕切り用パネル
６  縁部
７  芯材端面部
９  内端
１３  平板部
１６  屈曲片
１７  外端
１９  挿入溝部  
２０  外側の溝部内側面
２１  内側の溝部内側面
２２  溝底
２３  開口端
２４  傾斜平坦面
２７  パネル枠体
２８  パネル枠
３８  間仕切り
６７  スライドカバー部材
８９  両面粘着テープ